(57)【要約】  本発明は、光ファイバＢＯＣＤＡセンサに関し、本発明は、二つの位相コードを使用して相関関係ピーク位置を制御することで、従来に比べて制御設計および装置構成をより単純化し、且つ空間分解能を向上させて感知性能および検出精度を向上させる、光ファイバＢＯＣＤＡセンサを提供することを目的とする。【選択図】図４
2021523358.tif 000002
【特許請求の範囲】
【請求項１】
ブリルアン周波数変異を用いて、感知光ファイバ（１４０）上の任意の位置での歪率および温度を測定する光ファイバＢＯＣＤＡセンサ（１００）であって、
プローブ光の光ファイバライン（１２０）およびポンピング光の光ファイバライン（１３０）それぞれに、互いに独立して制御可能なプローブ光位相変調器（１２１）およびポンピング光位相変調器（１３１）が備えられ、
前記プローブ光位相変調器（１２１）および前記ポンピング光位相変調器（１３１）それぞれで作られる位相コードパターンに時間差が形成されることで、前記感知光ファイバ（１４０）上でのポンピング光およびプローブ光の相関関係ピーク位置が調節可能になることを特徴とする、光ファイバＢＯＣＤＡセンサ。
【請求項２】
前記光ファイバＢＯＣＤＡセンサ（１００）は、
前記プローブ光位相変調器（１２１）および前記ポンピング光位相変調器（１３１）それぞれで作られる位相コードパターンが互いに同じ形態、且つ時間差だけ存在する形態になるように調節することを特徴とする、請求項１に記載の光ファイバＢＯＣＤＡセンサ。
【請求項３】
前記光ファイバＢＯＣＤＡセンサ（１００）は、
相関関係ピーク位置が前記感知光ファイバ（１４０）上の測定を行おうとする位置に相当するように、前記プローブ光位相変調器（１２１）および前記ポンピング光位相変調器（１３１）それぞれで作られる位相コードパターンの時間差を調節することを特徴とする、請求項１に記載の光ファイバＢＯＣＤＡセンサ。
【請求項４】
前記光ファイバＢＯＣＤＡセンサ（１００）は、
前記感知光ファイバ（１４０）上の測定を行おうとする位置の区間の長さによって、前記プローブ光位相変調器（１２１）および前記ポンピング光位相変調器（１３１）それぞれで作られる位相コードパターンのビット幅を調節することを特徴とする、請求項１に記載の光ファイバＢＯＣＤＡセンサ。
【請求項５】
前記光ファイバＢＯＣＤＡセンサ（１００）は、
相関関係ピーク位置のビット幅が予め決定された第１大きさを有する位相コードパターンを使用して求められたブリルアンスペクトルにおいて、
相関関係ピーク位置のビット幅が前記第１大きさよりも小さい第２大きさを有する位相コードパターンを使用して求められたブリルアンスペクトルを差し引くように制御することを特徴とする、請求項１に記載の光ファイバＢＯＣＤＡセンサ。
【請求項６】
前記光ファイバＢＯＣＤＡセンサ（１００）は、
光源（１１０）と、
前記光源（１１０）から光ファイバを介して進行されて来る光を前記プローブ光の光ファイバライン（１２０）および前記ポンピング光の光ファイバライン（１３０）それぞれに進行して行くように分岐する光ファイバカプラ（１１５）と、
一端が前記プローブ光の光ファイバライン（１２０）の先端に連結され、他端が前記ポンピング光の光ファイバライン（１３０）に連結され、プローブ光およびポンピング光の周波数の間にブリルアン周波数だけの差があると、ポンピング光の後方に散乱されるブリルアン散乱光に増幅を引き起こす前記感知光ファイバ（１４０）と、
前記プローブ光の光ファイバライン（１２０）上に備えられ、予め決定された位相コードパターンでプローブ光の位相を変調する前記プローブ光位相変調器（１２１）と、
前記プローブ光の光ファイバライン（１２０）上に備えられ、前記プローブ光位相変調器（１２１）から進行されて来るプローブ光を前記感知光ファイバ（１４０）のブリルアン周波数近くの周波数変調を有するように調整するプローブ光電気−光学変調器（１２２）と、
前記プローブ光の光ファイバライン（１２０）上に備えられ、前記プローブ光電気−光学変調器（１２２）から進行されて来るプローブ光を前記感知光ファイバ（１４０）の方に進行させ、前記感知光ファイバ（１４０）から進行されて来る光は遮断させる光ファイバアイソレータ（１２５）と、
前記ポンピング光の光ファイバライン（１３０）上に備えられ、前記プローブ光位相変調器（１２１）で使用される位相コードパターンと時間差が形成された位相コードパターンでポンピング光の位相を変調する前記ポンピング光位相変調器（１３１）と、
前記ポンピング光の光ファイバライン（１３０）上に備えられ、前記ポンピング光位相変調器（１３１）から進行されて来るプローブ光を前記感知光ファイバ（１４０）の方に進行させる光ファイバサーキュレータ（１３５）と、
前記光ファイバサーキュレータ（１３５）から進行されて来るブリルアン散乱光を取得する光受信器（１５０）と、
前記プローブ光位相変調器（１２１）および前記ポンピング光位相変調器（１３１）で発生する位相コードパターンを制御する制御部（１６０）とを含むことを特徴とする、請求項１に記載の光ファイバＢＯＣＤＡセンサ。
【請求項７】
前記光ファイバＢＯＣＤＡセンサ（１００）は、
前記プローブ光の光ファイバライン（１２０）上の前記光ファイバアイソレータ（１２５）の前方に備えられ、前記光ファイバアイソレータ（１２５）に進行されて来るプローブ光を増幅するプローブ光の光ファイバ増幅器１２３をさらに含むことを特徴とする、請求項６に記載の光ファイバＢＯＣＤＡセンサ。
【請求項８】
前記光ファイバＢＯＣＤＡセンサ（１００）は、
前記プローブ光の光ファイバライン（１２０）上の前記プローブ光電気−光学変調器（１２２）と前記光学アイソレータ（１２５）との間に備えられ、前記プローブ光電気−光学変調器（１２２）から進行されて来るプローブ光での偏光の影響を除去する偏光スクランブラ１２４をさらに含むことを特徴とする、請求項６に記載の光ファイバＢＯＣＤＡセンサ。
【請求項９】
前記光ファイバＢＯＣＤＡセンサ（１００）は、
前記光受信器（１５０）の後方に備えられ、前記光受信器（１５０）で受信するブリルアン散乱光を増幅するロックイン増幅器（１５５）と、
前記ポンピング光の光ファイバライン（１３０）上に備えられ、前記ポンピング光位相変調器（１３１）から進行されて来るポンピング光を正弦波に変調させて前記ロックイン増幅器（１５５）を駆動するポンピング光電気−光学変調器（１３２）とをさらに含むことを特徴とする、請求項６に記載の光ファイバＢＯＣＤＡセンサ。
【請求項１０】
前記光ファイバＢＯＣＤＡセンサ（１００）は、
前記ポンピング光の光ファイバライン（１３０）上の前記光ファイバサーキュレータ（１３５）の前方に備えられ、前記光ファイバサーキュレータ（１３５）に進行されて来るポンピング光を増幅するポンピング光の光ファイバ増幅器（１３３）をさらに含むことを特徴とする、請求項６に記載の光ファイバＢＯＣＤＡセンサ。
【請求項１１】
前記制御部（１６０）は、
前記プローブ光位相変調器（１２１）および前記ポンピング光位相変調器（１３１）と連結され、前記プローブ光位相変調器（１２１）および前記ポンピング光位相変調器（１３１）それぞれで使用される位相コードパターンを発生させて印加するパルスパターン発生器（１６１）と、
前記プローブ光電気−光学変調器（１２２）と連結され、前記感知光ファイバ（１４０）のブリルアン周波数近くの電気信号を作って前記プローブ光電気−光学変調器（１２２）を駆動するＲＦ信号合成器１６２とを含むことを特徴とする、請求項６に記載の光ファイバＢＯＣＤＡセンサ。
【請求項１２】
前記制御部（１６０）は、
前記ポンピング光電気−光学変調器（１３２）および前記ロックイン増幅器（１５５）と連結され、光を規則的な時間間隔で取り締まるチョッピングモジュール（１６３）を含むことを特徴とする、請求項９に記載の光ファイバＢＯＣＤＡセンサ。
【発明の詳細な説明】
【技術分野】
【０００１】
本発明は、光ファイバＢＯＣＤＡ（Ｂｒｉｌｌｏｕｉｎ  Ｃｏｒｒｅｌａｔｉｏｎ  Ｄｏｍａｉｎ  Ａｎａｌｙｓｉｓ）センサに関し、より詳細には、光ファイバＢＯＣＤＡセンサの感知性能および検出精度を向上させる光ファイバＢＯＣＤＡセンサに関する。
【背景技術】
【０００２】
光が物質の中に生じた音波と相互作用して入射光の周波数とは異なる周波数で散乱する現象をブリルアン散乱といい、この周波数の差をブリルアン周波数変異という。光ファイバＢＯＣＤＡ（Ｂｒｉｌｌｏｕｉｎ  Ｃｏｒｒｅｌａｔｉｏｎ  Ｄｏｍａｉｎ  Ａｎａｌｙｓｉｓ）センサとは、感知光ファイバの長さによってすべての位置でブリルアン周波数変異（ΔνＢ）を取得する分布測定センサである。ブリルアン周波数変異の検出原理について簡単に説明すると、以下の通りである。被測定光ファイバの両端でポンピング光（ｐｕｍｐｉｎｇ  ｌｉｇｈｔ）およびプローブ光（ｐｒｏｂｅ  ｌｉｇｈｔ）をそれぞれ入射させ、この際、ポンピング光およびプローブ光の光周波数の差Δνがこの被測定光ファイバのブリルアン周波数変異値であるνＢと一致するように光周波数を調整すると、ポンピング光は、誘導ブリルアン散乱によってプローブ光に光エネルギー変換を行い、プローブ光は、この被測定光ファイバ内でブリルアン光増幅を行う。このように増幅されたプローブ光の光信号は、光検出器によって電気信号に変換されることで測定が可能である。
【０００３】
かかるブリルアン周波数変異値は、光が進行する物質、すなわち、光ファイバの材料から大きく影響を受けるだけでなく、光ファイバに印加される歪率によって変化する。外部から加えられる応力による光ファイバの歪率をΔεとし、温度変化をΔＴとしたときに、ブリルアン周波数変異値の変化量ΔνＢ値は、数学式１のように表される。下記式において、歪率変換係数Ｃεおよび温度変換係数ＣＴは、予め知られている値であるが、精度を高めるために、実際の応用条件に応じて正確に調査して使用することがより好ましい。標準単一モード光ファイバを感知光ファイバとして使用する場合、この歪率変換係数Ｃεは約０．０５ＭＨｚ／με、温度変換係数ＣＴは約１ＭＨＺ／ｏＣの値を有するが、正確な値は、実際の応用条件に応じて調査して使用すべきである。
【０００４】
【数１】
2021523358.tif 000003
【０００５】
ブリルアン周波数変異を取得すると、数学式１を用いて感知光ファイバに分布する歪率または温度を測定することができ、かかる原理で作られるセンサを光ファイバＢＯＣＤＡセンサと言う。かかる感知光ファイバに分布するブリルアン周波数変異を求めるためには、ブリルアンゲインスペクトルを感知光ファイバのすべての位置で取得可能である必要があり、従来の光ファイバＢＯＣＤＡセンサは、位相コード変調時にその周波数をスキャンする位相コード周波数制御方式を使用する。
【０００６】
図１は従来の位相コード周波数制御型光ファイバＢＯＣＤＡセンサの概略図である。図１に図示されているように、一つの光源から出た光は、位相変調器（ｐｈａｓｅ  ｍｏｄｕｌａｔｏｒ）によって疑似ランダムビットシーケンス（ＰＲＢＳ：ｐｓｅｕｄｏ  ｒａｎｄｏｍ  ｂｉｔ  ｓｅｑｕｅｎｃｅ）コードパターンで１８０度の差があるように変調される。このように位相変調された光は、１×２光ファイバカプラによって分岐され、ポンピング光（ｐｕｍｐｉｎｇ  ｌｉｇｈｔ）とプローブ光（ｐｒｏｂｅ  ｌｉｇｈｔ）として使用される。プローブ光は、電気−光学変調器（ｅｌｅｃｔｒｏ−ｏｐｔｉｃ  ｍｏｄｕｌａｔｏｒ）によってブリルアン周波数の近くに光周波数が変調された後、感知光ファイバの一方の先端に入射される。一方、ポンピング光は、光学サーキュレータを通過した後、感知光ファイバの他方の先端に入射される。この二つの光が感知光ファイバを進行しながら、位相コードの最初に接するビットで二つの光の位相は常に一致するが、異なるビットの位置では一致しない時間が存在する。このように位相が一致する時間が音波のフォノン寿命１０ｎｓ以上になると、ブリルアン散乱増幅が発生し、ブリルアン周波数を得ることができる。しかし、二つの光の異なる位置では、位相の一致する時間が音波のフォノン寿命より短くなり、ブリルアン散乱増幅が発生せず、ブリルアンゲインを得ることができない。
【０００７】
一方、感知光ファイバの内部で二つの光が最初に接するビットの位置は、ＰＲＢＳコードの周波数を変更してもビットの位置が変化しない。しかし、二番目以上の相関ビットの位置では、位相コードの周波数を変更すると位置が変更される。したがって、感知光ファイバにおいて任意の位置でのブリルアン増幅信号を得るためには、遅延光ファイバを置くことで二番目以上の相関位置で感知区間が設定されるようにしなければならない。したがって、光受信器（ｐｈｏｔｏ  ｒｅｃｅｉｖｅｒ）で得るブリルアン散乱増幅光は、ＰＲＢＳコードの相関ビットでのみ発生する信号を電気信号に変換する。コンピュータでは、アナログ−デジタル変換器を使用して電気信号をデジタル信号に変換することでブリルアンゲインスペクトルを取得し、ブリルアン周波数を求めて、数学式１によって温度または歪率を求める。
【０００８】
図２は従来の位相コード周波数制御型光ファイバＢＯＣＤＡセンサの駆動実施形態であって、図１の概略図に示されている装置をより具体化して実現した構成例である。図２の実施形態において全システムは、コンピュータのデータ取得プログラムによって制御される。このプログラムは、パルスパターン発生器（ＰＰＧ：ｐｕｌｓｅ  ｐａｔｔｅｒｎ  ｇｅｎｅｒａｔｏｒ）の作動を調整し、このＰＰＧで発生した信号が位相変調器に入力され、この変調器は、高出力ＤＦＢ  ＬＤ（Ｄｉｓｔｒｉｂｕｔｅｄ  Ｆｅｅｄ−Ｂａｃｋ  Ｌａｓｅｒ  Ｄｉｏｄｅ）から出力された光の位相を変調させる。図２の実施形態においてＬＤから出力された光は、ピーク波長は１５５３ｎｍであり、３５ｍＷの強度を有するようにすることができる。ＰＰＧは、ＰＲＢＳ（ｐｓｅｕｄｏ  ｒａｎｄｏｍ  ｂｉｔ  ｓｅｑｕｅｎｃｅ）パターンの電気信号を発生させるが、この信号の一ビットの持続時間（ｓｙｍｂｏｌ  ｄｕｒａｔｉｏｎ）は、誘導ブリルアン散乱（ＳＢＳ：ｓｔｉｍｕｌａｔｅｄ  Ｂｒｉｌｌｏｕｉｎ  ｓｃａｔｔｅｒｉｎｇ）で発生する音波のフォノン寿命よりもはるかに短く設定される。ＰＲＢＳの一ビットの位相は、０とπの一つに変調され、二つの状態の発生確率は同一である。変調された光信号は、プローブ光とポンプ光の発生のために３ｄＢ光ファイバカプラによって分岐される。位相変調されて連続発進するプローブ光とポンプ光は、閉ループの反対方向に進行し、正確にループの中間点で接して相互作用を行い、相関関係ピークを生成する。仮に、位相コードの全長を通過しながらまた二つの光が接すると、その位置で相関関係ピークがまた生成される。
【０００９】
図３は従来の位相コード周波数制御型光ファイバＢＯＣＤＡセンサの駆動時に位相コード周波数変調による光ファイバ内の相関関係ピーク位置の変化を図示した図である。図３に図示されているように、位相コードビット一つの長さをＴ時間とすると、プローブ光とポンプ光が接して形成する相関関係ピークの距離幅は、Δｄ＝（１／２）νｇＴで表される（この際、νｇは、光ファイバの中の光の群速度）。光ファイバのループの長さがＰＲＢＳビットの全長よりも長いと、この相関関係ピークは、光ファイバのループに沿って図３のように周期的に形成される。
【００１０】
この際、光信号の分岐点である３ｄＢ光ファイバカプラを通過した後、正確に中間位置に形成される相関関係ピークを０次相関関係ピークとするが、この場合は、二つの進行光の経路差がない場合である。感知光ファイバで二つの光の接する位置を正確に中間ではなく離脱した位置にするためには、すなわち、最初に形成される相関関係ピークの次数が０次でないようにするためには、プローブ光とポンプ光が進行する間に意図的な経路差を導入しなければならない。このために、経路差のための時間遅延光ファイバ（Ｄｅｌａｙ  ｆｉｂｅｒ、図１および図２参照）をプローブ光と近くの位置に挿入する。このように形成される相関関係ピークのループ上での位置は、時間遅延光ファイバの長さによって左右される。相関関係ピークの間の距離ΔｄｎはΔｄｎ＝ＮΔｄ＝（１／２）ＮνｇＴのような式で表すことができ、この際、Ｎは、ＰＲＢＳコードの長さである。実験では、この長さとして２１５−１個のビットが使用された。測定のために使用される感知光ファイバの長さをΔｄｎよりも短くして、相関関係ピークを閉ループの中でただ一つだけ形成されるようにする。ＰＲＢＳ周波数を変更すると、一ビットの時間幅がＴからＴ´に変わり、全体のＰＲＢＳの長さが変わるため、相関関係ピーク位置も移動する。この位置移動位は、相関関係ピークの次数が大きいほどさらに多く移動する。このピークの移動は、測定しようとする光ファイバの距離分解能を保障するためには、ピークの距離幅であるΔｄと同一であるか小さい必要がある。かかる説明を式で表すと、以下の通りである。
【００１１】
【数２】
2021523358.tif 000004
【００１２】
ここで、
【数３】
2021523358.tif 000005
と
【数４】
2021523358.tif 000006
は、時間遅延光ファイバ長さと相関関係ピークとの距離である。一ビットの時間幅は、変調周波数（ＢＲ：ｍｏｄｕｌａｔｉｏｎ  ｂｉｔ  ｒａｔｅ）の逆数であるため、光ファイバの測定位置を移動させるためのＢＲの変化率は、
【数５】
2021523358.tif 000007
である。数学式２をこのＢＲ変化率に対する式を用いて単純化すると、数学式３を得ることができる。
【００１３】
【数６】
2021523358.tif 000008
【００１４】
数学式３は、感知光ファイバで測定位置を変化させなければならないＢＲの間隔を意味する。この間隔は、変調周波数、一ビットの距離幅に比例し、時間遅延光ファイバの長さに反比例する。
【００１５】
「Ｒａｎｄｏｍ−ａｃｃｅｓｓ  ｄｉｓｔｒｉｂｕｔｅｄ  ｆｉｂｅｒ  ｓｅｎｓｉｎｇ」（Ａｖｉ  Ｚａｄｏｋ  ｅｔｃ，  Ｌａｓｅｒ  Ｐｈｏｔｏｎｉｃｓ  Ｒｅｖ．  ６，  Ｎｏ．  ５，  Ｌ１−Ｌ５，  ２０１２）などの論文にも、上記で説明したような従来の位相コード周波数変調型光ファイバＢＯＣＤＡセンサと同様、時間遅延光ファイバ（ｄｅｌａｙ  ｆｉｂｅｒ）を含むセンサ構成について開示されている。しかし、かかる従来の技術は、位相コード周波数を変調させることが難しいという問題、位相コード周波数変調による相関関係ピーク幅が変化する問題、遅延光ファイバを設置しなければならないという問題、感知光ファイバに相関関係ピーク位置を如何なるところに位置させるか決定することが容易でないという問題など、様々な問題を有している。
【先行技術文献】
【非特許文献】
【００１６】
【非特許文献１】「Ｒａｎｄｏｍ−ａｃｃｅｓｓ  ｄｉｓｔｒｉｂｕｔｅｄ  ｆｉｂｅｒ  ｓｅｎｓｉｎｇ」（Ａｖｉ  Ｚａｄｏｋ  ｅｔｃ，  Ｌａｓｅｒ  Ｐｈｏｔｏｎｉｃｓ  Ｒｅｖ．  ６，  Ｎｏ．  ５，  Ｌ１−Ｌ５，  ２０１２）
【発明の概要】
【発明が解決しようとする課題】
【００１７】
したがって、本発明は、上記のような従来技術の問題点を解決するために導き出されたものであり、本発明は、二つの位相コードを使用して相関関係ピーク位置を制御することで、従来に比べて、制御設計および装置構成をより単純化し、且つ空間分解能を向上させることで、感知性能および検出精度を向上させる、時間差を有するポンプ光とプローブ光の位相コード変調を使用する光ファイバＢＯＣＤＡセンサを提供することを目的とする。
【課題を解決するための手段】
【００１８】
上記のような目的を達成するための本発明の時間差を有するポンプ光とプローブ光の位相コード変調を使用する光ファイバＢＯＣＤＡセンサ１００は、ブリルアン周波数変異を用いて、感知光ファイバ１４０上の任意の位置での歪率および温度を測定する光ファイバＢＯＣＤＡセンサ１００であって、プローブ光の光ファイバライン１２０およびポンピング光の光ファイバライン１３０それぞれに、互いに独立して制御可能なプローブ光位相変調器１２１およびポンピング光位相変調器１３１が備えられ、前記プローブ光位相変調器１２１および前記ポンピング光位相変調器１３１それぞれで作られる位相コードパターンに時間差が形成されることで、前記感知光ファイバ１４０上でのポンピング光およびプローブ光の相関関係ピーク位置が調節可能になることができる。
【００１９】
この際、前記光ファイバＢＯＣＤＡセンサ１００は、前記プローブ光位相変調器１２１および前記ポンピング光位相変調器１３１それぞれで作られる位相コードパターンが互いに同じ形態、且つ時間差だけ存在する形態になるように調節するようになることができる。
【００２０】
また、前記光ファイバＢＯＣＤＡセンサ１００は、相関関係ピーク位置が前記感知光ファイバ１４０上の測定を行おうとする位置に相当するように、前記プローブ光位相変調器１２１および前記ポンピング光位相変調器１３１それぞれで作られる位相コードパターンの時間差を調節するようになることができる。
【００２１】
また、前記光ファイバＢＯＣＤＡセンサ１００は、前記感知光ファイバ１４０上の測定を行おうとする位置の区間の長さによって、前記プローブ光位相変調器１２１および前記ポンピング光位相変調器１３１それぞれで作られる位相コードパターンのビット幅を調節するようになることができる。
【００２２】
また、前記光ファイバＢＯＣＤＡセンサ１００は、空間分解能を向上させるように、相関関係ピーク位置のビット幅が予め決定された第１大きさを有する位相コードパターンを使用して求められたブリルアンスペクトルにおいて、相関関係ピーク位置のビット幅が前記第１大きさよりも小さい第２大きさを有する位相コードパターンを使用して求められたブリルアンスペクトルを差し引くように制御することができる。
【００２３】
より具体的な構成として、前記光ファイバＢＯＣＤＡセンサ１００は、光源１１０と、前記光源１１０から光ファイバを介して進行されて来る光を前記プローブ光の光ファイバライン１２０および前記ポンピング光の光ファイバライン１３０それぞれに進行して行くように分岐する光ファイバカプラ１１５と、一端が前記プローブ光の光ファイバライン１２０の先端に連結され、他端が前記ポンピング光の光ファイバライン１３０に連結され、プローブ光およびポンピング光の周波数の間にブリルアン周波数だけの差があると、ポンピング光の後方に散乱されるブリルアン散乱光に増幅を引き起こす前記感知光ファイバ１４０と、前記プローブ光の光ファイバライン１２０上に備えられ、予め決定された位相コードパターンでプローブ光の位相を変調する前記プローブ光位相変調器１２１と、前記プローブ光の光ファイバライン１２０上に備えられ、前記プローブ光位相変調器１２１から進行されて来るプローブ光を前記感知光ファイバ１４０のブリルアン周波数近くの周波数変調を有するように調整するプローブ光電気−光学変調器１２２と、前記プローブ光の光ファイバライン１２０上に備えられ、前記プローブ光電気−光学変調器１２２から進行されて来るプローブ光を前記感知光ファイバ１４０の方に進行させ、前記感知光ファイバ１４０から進行されて来る光は遮断させる光ファイバアイソレータ１２５と、前記ポンピング光の光ファイバライン１３０上に備えられ、前記プローブ光位相変調器１２１で使用される位相コードパターンと時間差が形成された位相コードパターンでポンピング光の位相を変調する前記ポンピング光位相変調器１３１と、前記ポンピング光の光ファイバライン１３０上に備えられ、前記ポンピング光位相変調器１３１から進行されて来るプローブ光を前記感知光ファイバ１４０の方に進行させる光ファイバサーキュレータ１３５と、前記光ファイバサーキュレータ１３５から進行されて来るブリルアン散乱光を取得する光受信器１５０と、前記プローブ光位相変調器１２１および前記ポンピング光位相変調器１３１で発生する位相コードパターンを制御する制御部１６０とを含むことができる。
【００２４】
この際、前記光ファイバＢＯＣＤＡセンサ１００は、前記プローブ光の光ファイバライン１２０上の前記光ファイバアイソレータ１２５の前方に備えられ、前記光ファイバアイソレータ１２５に進行されて来るプローブ光を増幅するプローブ光の光ファイバ増幅器１２３をさらに含むことができる。
【００２５】
また、前記光ファイバＢＯＣＤＡセンサ１００は、前記プローブ光の光ファイバライン１２０上の前記プローブ光電気−光学変調器１２２と前記光学アイソレータ１２５との間に備えられ、前記プローブ光電気−光学変調器１２２から進行されて来るプローブ光での偏光の影響を除去する偏光スクランブラ１２４をさらに含むことができる。
【００２６】
また、前記光ファイバＢＯＣＤＡセンサ１００は、前記光受信器１５０の後方に備えられ、前記光受信器１５０で受信するブリルアン散乱光を増幅するロックイン増幅器１５５と、前記ポンピング光の光ファイバライン１３０上に備えられ、前記ポンピング光位相変調器１３１から進行されて来るポンピング光を正弦波に変調させて前記ロックイン増幅器１５５を駆動するポンピング光電気−光学変調器１３２とをさらに含むことができる。
【００２７】
また、この際、前記光ファイバＢＯＣＤＡセンサ１００は、前記ポンピング光の光ファイバライン１３０上の前記光ファイバサーキュレータ１３５の前方に備えられ、前記光ファイバサーキュレータ１３５に進行されて来るポンピング光を増幅するポンピング光の光ファイバ増幅器１３３をさらに含むことができる。
【００２８】
また、前記制御部１６０は、前記プローブ光位相変調器１２１および前記ポンピング光位相変調器１３１と連結され、前記プローブ光位相変調器１２１および前記ポンピング光位相変調器１３１それぞれで使用される位相コードパターンを発生させて印加するパルスパターン発生器１６１と、前記プローブ光電気−光学変調器１２２と連結され、前記感知光ファイバ１４０のブリルアン周波数近くの電気信号を作って前記プローブ光電気−光学変調器１２２を駆動するＲＦ信号合成器１６２とを含むことができる。
【００２９】
また、前記制御部１６０は、前記ポンピング光電気−光学変調器１３２および前記ロックイン増幅器１５５と連結され、光を規則的な時間間隔で取り締まるチョッピングモジュール１６３を含むことができる。
【発明の効果】
【００３０】
本発明によると、従来の位相コード周波数変調型光ファイバＢＯＣＤＡセンサにおいて相関関係ピーク位置を制御するために光周波数を変調していた過程を除き、その代わりに、相関関係ピーク位置を制御するために時間差のある二つの位相コード制御を使用する過程を用いることで、従来に比べて、より単純化した制御設計および装置構成を実現できるという大きな効果がある。これにより、上記で説明した従来の位相コード周波数変調方式の様々な問題を最初から除去することができることは言うまでもない。
【００３１】
より具体的には、従来、位相コード周波数を変調させることが難しい問題、位相コード周波数変調による相関関係ピーク幅の変化する問題があったが、本発明では、互いに別に制御することができる位相変調器を使用することから、制御設計がはるかに容易に行われることができる。また、従来、時間遅延光ファイバを設置しなければならないという問題があったが、本発明では、時間遅延光ファイバを設置する必要がなく、装置構成をより簡素化することができる。さらに、従来、感知光ファイバに相関関係ピーク位置を如何なるところに位置させるかを決定することが容易でないという問題があったが、本発明では、相関関係ピーク位置を所望通りに割り当てることができ、また制御設計がはるかに容易に行われる。
【００３２】
また本発明によると、相関関係ピーク位置を所望通りに任意に制御できることにより空間分解能を向上させることができ、最後には、感知性能および検出精度を向上させることができるという大きな効果がある。
【図面の簡単な説明】
【００３３】
【図１】従来の位相コード周波数制御型光ファイバＢＯＣＤＡセンサの概略図である。
【図２】従来の位相コード周波数制御型光ファイバＢＯＣＤＡセンサの駆動実施形態である。
【図３】従来の位相コード周波数制御型光ファイバＢＯＣＤＡセンサ駆動時に位相コード周波数変調による光ファイバ内の相関関係ピーク位置変化を示す図である。
【図４】本発明の時間差がある二つの位相コードを使用する光ファイバＢＯＣＤＡセンサの概略図である。
【図５】本発明の時間差がある二つの位相コードを使用する光ファイバＢＯＣＤＡセンサの駆動実施形態である。
【図６】本発明の時間差がある二つの位相コードを使用する光ファイバＢＯＣＤＡセンサ駆動時にポンプ光およびプローブ光の位相間の時間差の変化による光ファイバ内の相関関係ピーク発生位置調節実施形態である。
【図７】本発明の時間差がある二つの位相コードを使用する光ファイバＢＯＣＤＡセンサ駆動実験に使用された感知光ファイバの構成実施形態である。
【図８】図７の感知光ファイバを使用して取得したブリルアンゲインスペクトルである。
【図９】図８のブリルアンゲインスペクトルから取得したブリルアン周波数である。
【図１０】二つの位相コードパターンの時間差を作る様々な実施形態である。
【図１１】感知光ファイバ上に３個の測定区間がある場合の相関関係ピーク発生区間の長さによるビット幅調節実施形態である。
【図１２】感知光ファイバ上に３個の測定区間がある場合の相関関係ピーク発生区間の長さによるビット幅調節実施形態である。
【図１３】相関位置のビット幅差がある二つのブリルアンゲインを取得してその信号差を得る実施形態である。
【発明を実施するための形態】
【００３４】
以下、上記のような構成を有する本発明による時間差を有するポンプ光とプローブ光の位相コード変調を使用する光ファイバＢＯＣＤＡセンサについて、添付の図面を参照して詳細に説明する。
【００３５】
［１］本発明の光ファイバＢＯＣＤＡセンサの改善原理
上記で説明したように、従来は相関関係ピーク位置を制御するために光周波数を変調しており、この過程で様々な制御設計および装置構成を難解にする問題が発生した。本発明では、かかる従来の光ファイバＢＯＣＤＡセンサの欠点、すなわち、相関関係ピーク位置を制御するために光周波数を変調する過程を、二つの位相コードを使用する新たな方式に代える光ファイバＢＯＣＤＡセンサについて開示する。
【００３６】
図４は本発明の時間差がある二つの位相コードを使用する光ファイバＢＯＣＤＡセンサの概略図である。本発明の光ファイバＢＯＣＤＡセンサ１００は、基本的に、ブリルアン周波数変異を用いて、感知光ファイバ１４０上の任意の位置での歪率および温度を測定する光ファイバＢＯＣＤＡセンサ１００であって、プローブ光の光ファイバライン１２０およびポンピング光の光ファイバライン１３０それぞれに、互いに独立して制御可能なプローブ光位相変調器１２１およびポンピング光位相変調器１３１が備えられる。この際、本発明の光ファイバＢＯＣＤＡセンサ１００では、前記プローブ光位相変調器１２１および前記ポンピング光位相変調器１３１で作られる位相コードパターンに時間差が形成されることで、ポンピング光およびプローブ光の相関関係ピーク位置が調節可能になる。より具体的には、本発明の光ファイバＢＯＣＤＡセンサ１００は、前記プローブ光位相変調器１２１および前記ポンピング光位相変調器１３１それぞれで作られる位相コードパターンが互いに同じ形態、且つ時間差だけ存在する形態になるように調節する。
【００３７】
図１に図示されている従来の光ファイバＢＯＣＤＡセンサと図４に図示されている本発明の光ファイバＢＯＣＤＡセンサ１００を直観的に比較すると、従来の光ファイバＢＯＣＤＡセンサは、プローブ光の光ファイバラインおよびポンピング光の光ファイバラインに同じ位相コードパターンを有する光が入射され、この際、感知光ファイバ上の任意の位置でのブリルアン増幅信号が得られるようにするために、プローブ光の光ファイバライン上に時間遅延光ファイバ（Ｄｅｌａｙ  ｆｉｂｅｒ）を備える。一方、本発明の光ファイバＢＯＣＤＡセンサ１００は、前記プローブ光の光ファイバライン１２０および前記ポンピング光の光ファイバライン１３０それぞれに、互いに独立して制御可能な前記プローブ光位相変調器１２１および前記ポンピング光位相変調器１３１が備えられる。すなわち、本発明では、プローブ光およびポンピング光の位相コードの間に時間遅延を発生させるためには、単にそれぞれの位相変調器１２１、１３１が作り出す光の間に時間遅延が形成されるように、それぞれの位相コードパターンを適切に設定すればよい。すなわち、本発明では、従来の光ファイバＢＯＣＤＡセンサで必ず必要であった時間遅延光ファイバを備える必要が無くなる。
【００３８】
この際、上述したように、従来の光ファイバＢＯＣＤＡセンサでは、変調周波数、変調周波数の変化率、時間遅延光ファイバの長さおよび相関関係ピーク間の距離の間に所定の関係が形成されることから、感知光ファイバに相関関係ピーク位置が如何なるところに位置するようにするかを予め決定し、これを考慮して時間遅延光ファイバ長さなどを決定しなければならないなど、制御設計および装置構成において難解な問題がある。しかし、本発明では、時間遅延光ファイバ自体が構成から削除されるため、時間遅延光ファイバと関連する制御設計や装置構成における難解さが最初から除去される。さらに、それぞれの位相変調器１２１、１３１は、互いに独立して制御可能であるため、一つの位相変調器で如何なる位相コードパターンで変調を行うように設定し、他の一つの位相変調器ではかかる位相コードパターンで変調を行うように設定することができるが、このそれぞれの位相コードパターンが互いに同じ形態を有し、時間遅延があるパターンであるように設定することも自由にいくらでも可能である。この時間遅延値を決定する際にも何の制限なく所望通りに自由に設定することができ、結果、制御設計および装置構成を従来に比べてはるかに容易に行うことができる。
【００３９】
［２］本発明の光ファイバＢＯＣＤＡセンサの動作原理
図４を参照して、本発明の光ファイバＢＯＣＤＡセンサ１００の基本的な構成および動作原理についてより詳細に説明する。本発明の光ファイバＢＯＣＤＡセンサ１００は、基本的に、光源１１０と、光ファイバカプラ１１５と、プローブ光の光ファイバライン１２０と、ポンピング光の光ファイバライン１３０と、感知光ファイバ１４０とを含み、これに、プローブ光位相変調器１２１、プローブ光電気−光学変調器１２２、光ファイバアイソレータ１２５、ポンピング光位相変調器１３１、光ファイバサーキュレータ１３５、光受信器１５０、制御部１６０が備えられてなることができる。各部について簡単に説明すると、以下の通りである。
【００４０】
先ず、基本的な構成部品である前記光源１１０、前記光ファイバカプラ１１５、前記感知光ファイバ１４０それぞれについて簡単に説明する。
【００４１】
前記光源１１０は、センサの全体的な動作のための光を出力する。この際、動作効率を良くするためには、前記光源１１０から出力される光が可干渉性が良いことが好ましく、具体的な例示として、前記光源１１０は、一つのＤＦＢレーザダイオード（Ｄｉｓｔｒｉｂｕｔｅｄ  Ｆｅｅｄ−Ｂａｃｋ  Ｌａｓｅｒ  Ｄｉｏｄｅ）からなることができる。
【００４２】
前記光ファイバカプラ１１５は、１×２光ファイバカプラ形態からなり、前記光源１１０から光ファイバを介して進行されて来る光を、前記プローブ光の光ファイバライン１２０および前記ポンピング光の光ファイバライン１３０それぞれに進行して行くように分岐する役割をする。
【００４３】
前記感知光ファイバ１４０は、取得しようとする感知信号が発生する部分であって、一端が前記プローブ光の光ファイバライン１２０の先端に連結され、他端が前記ポンピング光の光ファイバライン１３０に連結される。これにより、前記感知光ファイバ１４０の両端それぞれからプローブ光およびポンピング光が進行されて来て、前記感知光ファイバ１４０内で二つの光が互いに接する。この際、プローブ光およびポンピング光の周波数の間にブリルアン周波数だけの差があると、ポンピング光の後方に散乱されるブリルアン散乱光が増幅される。上記で説明したように、かかるブリルアン散乱光の周波数変異値は、前記感知光ファイバ１４０上の任意の位置での歪率および温度と直接的な関係がある。したがって、ブリルアン散乱光を取得してブリルアン周波数変異を測定することで、最後には、前記感知光ファイバ１４０上の任意の位置での歪率および温度変化を測定することができる。
【００４４】
次に、前記プローブ光の光ファイバライン１２０上に配置される前記プローブ光位相変調器１２１、前記プローブ光電気−光学変調器１２２、前記光ファイバアイソレータ１２５それぞれについて簡単に説明する。
【００４５】
前記プローブ光位相変調器１２１は、前記プローブ光の光ファイバライン１２０上に備えられ、予め決定された位相コードパターンでプローブ光の位相を変調する役割をする。前記位相コードパターンは、ユーザが所望通りに適切且つ自由に設定することができる。
【００４６】
前記プローブ光電気−光学変調器１２２は、前記プローブ光の光ファイバライン１２０上に備えられ、前記プローブ光位相変調器１２１から進行されて来るプローブ光を前記感知光ファイバ１４０のブリルアン周波数近くの周波数変調を有するように調整する役割をする。
【００４７】
前記光ファイバアイソレータ１２５は、前記プローブ光の光ファイバライン１２０上に備えられ、前記プローブ光電気−光学変調器１２２から進行されて来るプローブ光を前記感知光ファイバ１４０の方に進行させる役割をする。また、前記光ファイバアイソレータ１２５は、前記感知光ファイバ１４０から進行されて来る光は遮断する役割も兼ねる。
【００４８】
次に、前記ポンピング光の光ファイバライン１３０上に配置される前記ポンピング光位相変調器１３１、前記光ファイバサーキュレータ１３５それぞれについて簡単に説明する。
【００４９】
前記ポンピング光位相変調器１３１は、前記ポンピング光の光ファイバライン１３０上に備えられ、前記プローブ光位相変調器１２１と同様に、ポンピング光の位相を変調する役割をする。この際、本発明において、前記ポンピング光位相変調器１３１で使用される位相コードパターンは、前記プローブ光位相変調器１２１で使用される位相コードパターンと時間差が形成されるパターンである。
【００５０】
前記光ファイバサーキュレータ１３５は、前記ポンピング光の光ファイバライン１３０上に備えられ、前記光ファイバアイソレータ１２５と同様に、前記ポンピング光位相変調器１３１から進行されて来るプローブ光を前記感知光ファイバ１４０の方に進行させる役割をする。
【００５１】
最後に、光を取得し制御する前記光受信器１５０、前記制御部１６０それぞれについて簡単に説明する。
【００５２】
前記光受信器１５０は、前記光ファイバサーキュレータ１３５から進行されて来るブリルアン散乱光を取得する役割をする。前記光受信器１５０は、前記制御部１６０と連結されて、前記制御部１６０に取得した光信号データを伝達することで、信号分析が行われるようにする。
【００５３】
前記制御部１６０は、最も基本的には、前記プローブ光位相変調器１２１および前記ポンピング光位相変調器１３１で発生する位相コードパターンを制御する役割をし、その他にも、様々な他の装置を制御し分析するなどの役割をする。
【００５４】
このようになる本発明の光ファイバＢＯＣＤＡセンサ１００の全般的な動作について説明すると、以下の通りである。
【００５５】
前記光源１１０から出た光は、前記光ファイバカプラ１１５で分岐されてプローブ光およびポンピング光として使用される。この二つの光は、前記それぞれの位相変調器１２１、１３１によってＰＲＢＳコードパターンで位相変調され、この際、この二つのＰＲＢＳコードパターンの間には時間差がある。プローブ光は、前記プローブ光電気−光学変調器１２２によってブリルアン周波数近くの周波数変調を有するように調整された後、前記感知光ファイバ１４０の一方の先端に入力される。一方、ポンピング光は、前記光ファイバサーキュレータ１３５を通過した後、前記感知光ファイバ１４０の他方の先端に入力される。このようにポンピング光およびプローブ光が前記感知光ファイバ１４０の内部で接する時に、二つの光の周波数の間に前記感知光ファイバ１４０のブリルアン周波数だけの周波数差があると、ポンピング光の後方に散乱される光に増幅が生じる。この増幅されポンピング光の後方に進行するブリルアン散乱光の周波数は、前記感知光ファイバ１４０の歪率や温度に比例する。
【００５６】
しかし、ポンピング光およびプローブ光は、前記感知光ファイバ１４０に入射される前にＰＲＢＳコードで位相変調されているため、前記感知光ファイバ１４０の中で二つのコードが初めて接するビット幅だけの位置では常に位相が一致し、それ以外のＰＲＢＳコードの他の位置では位相が一致しない時間が存在する。したがって、後方散乱光が大きくなるブリルアン増幅は、前記感知光ファイバ１４０の内部のポンピング光およびプローブ光のＰＲＢＳコードパターンの位相が一致するビット位置でのみ発生する。
【００５７】
かかる理由によってブリルアン散乱光を取得する前記光受信器１５０は、ＰＲＢＳコードの一ビット幅だけの位置でのみ作られるブリルアン散乱光ゲイン信号を取得する。このようにブリルアン散乱ゲイン信号が最大に得られる条件でのプローブ光変調周波数は、前記感知光ファイバ１４０の該当位置でのブリルアン周波数であるため、数学式１によって歪率または温度を求めることができる。一方、前記感知光ファイバ１４０の他の位置でのブリルアン周波数を求めるためには、ポンピング光およびプローブ光の位相変調パターンであるＰＲＢＳコードの時間差を変更すれば良い。
【００５８】
［３］本発明の光ファイバＢＯＣＤＡセンサの駆動実施形態
図５は本発明の時間差がある二つの位相コードを使用する光ファイバＢＯＣＤＡセンサの駆動実施形態を図示している。図５の実施形態は、図４に示されている構成部品とともに、プローブ光の光ファイバ増幅器１２３と、偏光スクランブラ１２４と、ポンピング光電気−光学変調器１３２と、ポンピング光の光ファイバ増幅器１３３と、ロックイン増幅器１５５とをさらに含むことができる。また、前記制御部１６０は、パルスパターン発生器１６１と、ＲＦ信号合成器１６２と、チョッピングモジュール１６３とを含むことができる。各部について簡単に説明すると、以下の通りである。
【００５９】
先ず、前記光ファイバＢＯＣＤＡセンサ１００にさらに含まれる構成部品それぞれについて簡単に説明する。
【００６０】
前記プローブ光の光ファイバ増幅器１２３および前記ポンピング光の光ファイバ増幅器１３３は、それぞれ前記感知光ファイバ１４０に入るポンピング光およびプローブ光を増幅する役割をする。具体的には、前記プローブ光の光ファイバ増幅器１２３は、前記プローブ光の光ファイバライン１２０上の前記光ファイバアイソレータ１２５の前方に備えられ、前記光ファイバアイソレータ１２５に進行されて来るプローブ光を増幅する。また、前記ポンピング光の光ファイバ増幅器１３３は、前記ポンピング光の光ファイバライン１３０上の前記光ファイバサーキュレータ１３５の前方に備えられ、前記光ファイバサーキュレータ１３５に進行されて来るポンピング光を増幅する。
【００６１】
前記偏光スクランブラ１２４（ＰＳ：ｐｏｌａｒｉｚａｔｉｏｎ  ｓｃｒａｍｂｌｅｒ）は、前記プローブ光の光ファイバライン１２０上の前記プローブ光電気−光学変調器１２２と前記光学アイソレータ１２５との間に備えられ、前記プローブ光電気−光学変調器１２２から進行されて来るプローブ光での偏光の影響を除去する役割をする。
【００６２】
前記ポンピング光電気−光学変調器１３２および前記ロックイン増幅器１５５は、ともに備えられなければならないが、先ず、前記ロックイン増幅器１５５は、前記光受信器１５０の後方に備えられ、前記光受信器１５０で受信するブリルアン散乱光を増幅する役割をする。また、前記ポンピング光電気−光学変調器１３２は、前記ポンピング光の光ファイバライン１３０上に備えられ、前記ポンピング光位相変調器１３１から進行されて来るポンピング光を正弦波に変調し、前記ロックイン増幅器１５５を駆動する役割をする。
【００６３】
次に、前記制御部１６０に含まれるパルスパターン発生器１６１（ＰＰＧ：ｐｕｌｓｅ  ｐａｔｔｅｒｎ  ｇｅｎｅｒａｔｏｒ）、ＲＦ信号合成器１６２（ＲＦ  ｓｉｇｎａｌ  ｓｙｎｔｈｅｓｉｚｅｒ）、チョッピングモジュール１６３（ｃｈｏｐｐｉｎｇ  ｍｏｄｕｌｅ）それぞれについて簡単に説明する。
【００６４】
前記パルスパターン発生器１６１は、前記プローブ光位相変調器１２１および前記ポンピング光位相変調器１３１と連結され、前記プローブ光位相変調器１２１および前記ポンピング光位相変調器１３１それぞれで使用される位相コードパターンを発生させて印加する役割をする。前記パルスパターン発生器１６１で発生させるパターンは、ユーザが自由且つ任意に調節することができる。
【００６５】
前記ＲＦ信号合成器１６２は、前記プローブ光電気−光学変調器１２２と連結され、前記感知光ファイバ１４０のブリルアン周波数近くの電気信号を作り、前記プローブ光電気−光学変調器１２２を駆動する役割をする。
【００６６】
前記チョッピングモジュール１６３は、光を規則的な時間間隔で取り締まる役割をするものであり、図示されているように、前記ポンピング光電気−光学変調器１３２および前記ロックイン増幅器１５５と連結される。以降、より詳細に説明するが、前記ポンピング光電気−光学変調器１３２および前記ロックイン増幅器１５５は、本発明の光ファイバＢＯＣＤＡセンサ１００の制御方式に従って除去され得るが、この場合、前記チョッピングモジュール１６３もともに除去され得る。
【００６７】
このようになる本発明の光ファイバＢＯＣＤＡセンサ１００の具体的な動作を説明すると、以下の通りである。
【００６８】
図４の実施形態と同様、高出力ＤＦＢレーザダイオードからなる前記光源１１０から出た光は、３ｄＢ光ファイバカプラ１１５で分岐されてプローブ光およびポンピング光として使用される。この二つの光は、前記それぞれの位相変調器１２１、１３１によって位相変調されるが、図５の実施形態では、前記それぞれの位相変調器１２１、１３１にコンピュータによって制御され、二つのチャンネルを有する前記パルスパターン発生器１６１が連結され、前記それぞれの位相変調器１２１、１３１で発生するＰＲＢＳコードパターンを調節する。ＰＲＢＳの一ビットの位相は０とπの一つであり、二つの位相ビットの発生確率は一つのコード内でほぼ同一である。
【００６９】
図６は本発明の時間差がある二つの位相コードを使用する光ファイバＢＯＣＤＡセンサ駆動時にポンプ光およびプローブ光の位相間の時間差の変化による光ファイバ内の相関関係ピーク発生位置調節実施形態である。上記の説明での二つのＰＲＢＳコードパターンは、完全に同一であり、且つ時間差だけ存在するパターンであって、二つのパターンの間の時間差はコンピュータで任意に制御することができる。したがって、位相コード変調されたポンピング光およびプローブ光の間の位相が一致する位置、すなわち、図６に図示されているように、相関関係ピーク発生位置を任意の位置に調整することができる。換言すると、相関関係ピーク領域は、前記プローブ光位相変調器１２１および前記ポンピング光位相変調器１３１を使用して、非常に短い位相コード一つのビット幅が前記感知光ファイバ１４０上の任意の位置で位相が常に一致するようにして得ることができ、この際、ブリルアンゲインを得ることができる。この相関関係ピークの距離幅Δｄは、Δｄ＝（１／２）νｇＴの式で求めることができ、ここでνｇは、光ファイバの内部を進行する光の群速度であり、Ｔは、ＰＲＢＳ信号の一ビットの時間幅である。この一ビットの持続時間（ｓｙｍｂｏｌ  ｄｕｒａｔｉｏｎ）は、一般的に誘導ブリルアン散乱（ＳＢＳ：ｓｔｉｍｕｌａｔｅｄ  Ｂｒｉｌｌｏｕｉｎ  ｓｃａｔｔｅｒｉｎｇ）を引き起こす最小時間の１０ｎｓよりもはるかに短く設定される。すなわち、空間分解能が１ｍよりも短く作動させることが可能になる。
【００７０】
一方、ブリルアン周波数（νＢ）を探すためには、ポンピング光およびプローブ光の間の周波数差を制御しなければならないが、本発明では、プローブ光の周波数を前記プローブ光電気−光学変調器１２２によって変調させる方法でかかる周波数差の制御を行う。具体的には、プローブ光を前記ＲＦ信号合成器１６２を用いて、ブリルアン周波数近くの電気信号に作り、増幅器（図５においてＲＦ信号合成器１６２とプローブ光電気−光学変調器１２２との間に備えられる増幅器）で増幅して前記プローブ光電気−光学変調器１２２を駆動し、プローブ光の周波数を変調する。このようにブリルアン周波数帯域で変調されたプローブ光は、前記プローブ光の光ファイバ増幅器１２３によって増幅される。プローブ光に対して前記感知光ファイバ１４０の内部で偏光の影響を除去するために、偏光スクランブラ１２４でランダムに偏光方向を調整することが好ましく、このように様々な変調および調整が完了したプローブ光は、前記光ファイバアイソレータ１２５を経て前記感知光ファイバ１４０に入射される。一方、ポンピング光は、前記ポンピング光電気−光学変調器１３２でオン−オフ変調を行い、前記ロックイン増幅器１５５のトリガリングのための信号として使用される。この際、かかるオン−オフ変調がスムーズに行われるようにするために、前記チョッピングモジュール１６３が使用される。その後、ポンピング光は、前記ポンピング光の光ファイバ増幅器１３３によって増幅され、前記光ファイバサーキュレータ１３５を経て前記感知光ファイバ１４０に入射される。
【００７１】
このように、前記感知光ファイバ１４０の内部に入射され進行するポンピング光は、プローブ光と相関関係ピーク位置でブリルアン増幅を引き起こした後、後方に散乱されて戻る。このブリルアン散乱光は、前記光学サーキュレータ１３５を経て前記光受信器１５０を通過しながら電気信号に変換される。この信号は、前記ロックイン増幅器１５５で増幅され、前記制御部１６０のデータ取得プログラムによってデジタル信号に変換され保存される。前記制御部１６０によって作動するデータ取得および制御プログラムは、前記パルスパターン発生器１６１、前記ＲＦ信号合成器１６２、前記チョッピングモジュール１６３を制御し、前記光受信器１５０と連結された前記ロックイン増幅器１５５の信号を取得する。
【００７２】
かかる本発明の光ファイバＢＯＣＤＡセンサ１００の駆動実施形態を用いて実際実験を行い、この際の詳細的な作動条件は、以下の通りである。ＰＲＢＳパターンの位相コードの周波数は５ＧＨｚとし、空間分解能を２ｃｍと設定した。また、ＰＲＢＳパターンの長さは２７−１＝５１１と設定し、使用可能な感知光ファイバの最大長さが５１１×２ｃｍ＝１，０２２ｃｍになるようにした。一方、ブリルアン周波数探索のための前記プローブ光電気−光学変調器１２２は、１０．４ＧＨｚから１１ＧＨｚまで０．６ＧＨｚ範囲をスキャンするように設定した。また、ブリルアン周波数探索１周期の時間は５０ｍｓｅｃと設定し、周波数スキャン時に２４ｋＨｚの速度でデータを取得してブリルアンゲインスペクトルを１０個取得し、平均値を求め、最大値を得てブリルアン周波数を求めた。
【００７３】
図７は本発明の時間差がある二つの位相コードを使用する光ファイバＢＯＣＤＡセンサ駆動実験に使用された感知光ファイバの構成実施形態であって、図７の実施形態において前記感知光ファイバ１４０は、単一モード光ファイバと分散移動光ファイバ（ＤＳＦ：ｄｉｓｐｅｒｓｉｏｎ  ｓｈｉｆｔ  ｆｉｂｅｒ）を融着接続して作られ、それぞれの光ファイバに対してブリルアン周波数を検出して歪率測定可能性を確認した。単一モード光ファイバの場合、４種類のブリルアン周波数が異なる光ファイバを融着接続した。
【００７４】
図８は図７の感知光ファイバを使用して取得したブリルアンゲインスペクトルを示している。図８の（Ａ）は３次元的に示した図であり、図８の（Ｂ）は図８の（Ａ）での高さの値を色で表して２次元的に示した図である。図８によく示されているように、それぞれの位置で明確にゲインピークを決定することができるブリルアンゲイン分布を得ることができた。特に、図７の感知光ファイバで分散移動光ファイバが３０ｃｍずつ３個の部分で連結されており、この部分のゲインスペクトルが２次元スペクトルで非常に明確に区分されていることが認められる。一方、ゲインが存在しない部分があるが、この部分は、光ファイバが存在しない位相コードの残り部分である。すなわち、１，０２２ｃｍをスキャンする位相コードを使用しているが、８．６ｍから９．４ｍ部分は、光ファイバがない部分である。
【００７５】
図９は図８のブリルアンゲインスペクトルから取得したブリルアン周波数を示した図である。すなわち、図８のブリルアンゲインスペクトルからゲインの最大値を有する部分の周波数を取得し、図９のようにブリルアン周波数と決定するが、この値がまさに歪率または温度に相当する値である。図９のグラフにおいて前記感知光ファイバ１４０の実際存在領域は、ｘ軸の０．１２ｍから始まり７．１４ｍまでの総６．６２ｍの長さに相当する部分である。図７の前記感知光ファイバ１４０の左側から比較すると、８２ｃｍの長さだけブリルアン周波数が１０．８２ＧＨｚである単一モード光ファイバがあり、その後に２１０ｃｍの他のブリルアン周波数である１０．８５ＧＨｚを有する単一モード光ファイバがあり、１０．５３ＧＨｚのブリルアン周波数を有する分散移動光ファイバが３０ｃｍ連結されており、また、２個がさらに連結されていることがよく示されている。その後にはまた２１０ｃｍ長さの単一モード光ファイバが連結されているが、ブリルアン周波数は、１０．８３ＧＨｚと先方のものより若干小さい値を示した。その後にまた８８ｃｍ長さの単一モード光ファイバが１０．８３ＧＨｚのブリルアン周波数を示した。すなわち、図９のグラフから本発明による光ファイバＢＯＣＤＡセンサ１００は空間分解能２ｃｍを見事に達成していることが分かり、ブリルアン周波数分解能は０．５ＭＨｚであり、測定誤差は１ＭＨｚであることが分かった。
【００７６】
［４］本発明の光ファイバＢＯＣＤＡセンサの詳細な原理：時間差の生成
上記で説明したように、本発明の核心は、つまり、二つの同じ位相コードパターンを時間差を有するようにし、これを用いてポンピング光およびプローブ光の相関関係ピーク位置を制御することである。したがって、二つの位相コードパターンの時間差を作る過程が重要である。最も簡単な方法は、図１０の（Ａ）に示されているように、一つの位相コードを作り、そのコードのビットを感知光ファイバの測定を所望する位置だけビット数を移動させる方法である。また他の方法は、図１０の（Ｂ）に示されているように、二つの同じパターンの位相コードを時間差を置いて連続発生させて相関位置を制御する方法である。
【００７７】
この際、本発明の光ファイバＢＯＣＤＡセンサ１００は、相関関係ピーク位置が前記感知光ファイバ１４０上の測定を行おうとする位置に相当するように、前記プローブ光位相変調器１２１および前記ポンピング光位相変調器１３１それぞれで作られる位相コードパターンの時間差を調節することができる。具体的に説明すると、本発明では、二つの位相コード間の時間差をプログラムで作り、前記パルスパターン発生器１６１に入力して使用することから、前記感知光ファイバ１４０上で測定を所望する如何なる位置にも相関関係ピーク位置をプログラムで割り当てることができる。従来のブリルアンセンサシステムは、ほとんどが感知光ファイバの全位置をスキャンしながら測定していたが、本発明の光ファイバＢＯＣＤＡセンサ１００を使用すると、二つの位相コードの間の時間差さえ選択すれば、それによる感知光ファイバの該当位置でのみ測定を行うように簡単に制御することができる。
【００７８】
［５］本発明の光ファイバＢＯＣＤＡセンサの詳細な原理：ビット幅の調節
本発明の光ファイバＢＯＣＤＡセンサ１００は、前記感知光ファイバ１４０上の測定を行おうとする位置の区間の長さによって、前記プローブ光位相変調器１２１および前記ポンピング光位相変調器１３１それぞれで作られる位相コードパターンのビット幅を調節する。測定しようとする区間の長さが短いか長い場合に対応してビット幅を調整して作動させることも可能である。
【００７９】
図１１および図１２は感知光ファイバ上に３個の測定区間がある場合の相関関係ピーク発生区間の長さによるビット幅調節実施形態を示す図である。先ず、図１１では、感知光ファイバの上に測定区間＃１、＃２と＃３がある場合を想定した。かかる場合、相関関係ピーク位置を２０ビット（ｂｉｔ）の位置で生じるようにすると、測定区間＃１位置での１個のビット幅に相当するブリルアンゲインスペクトルを得て、このスペクトルから最大値を与えるブリルアン周波数を決定すると、数学式１によって歪率や温度を求めることになる。測定区間＃２の長さは、３個のビット幅だけ長く、ピーク位置を４６、４７、４８ビット（ｂｉｔ）で作られるようにすると、該当位置で３個の歪率や温度を求めることができる。また、測定区間＃３の長さは、２個ビット幅を有しているため、ピーク位置が６２、６３ビット位置で発生するようにして、２個の歪率や温度を測定することになる。一方、図１２を参照すると、疑似ランダムビットシーケンスのビット幅を感知光ファイバの各測定区間の長さとほぼ一致させ、該当位置で相関関係ピークが発生するように時間差を設定して作動させると、それぞれの測定位置で一回だけ測定しても良い。
【００８０】
［６］本発明の光ファイバＢＯＣＤＡセンサの詳細な原理：空間分解能の向上
一方、前記感知光ファイバ１４０の長さが長い場合、ブリルアンゲインを大きくするために相関関係ピーク位置のビット幅を増加させて測定するが、このようにビット幅を増加させる場合、空間分解能をそれだけ失うことになる。この際、相関位置のビット幅差がある二つのブリルアンゲインを取得し、その信号差を得ることで、空間分解能を向上させることができる。すなわち、相関関係ピーク位置のビット幅を若干大きいものと小さいものを用いてブリルアンスペクトルを求めた後、その差を求めると、相関関係ピーク位置のビットの間の差に相当する向上した空間分解能に相当する値を得ることができる。この方法は、前記ポンピング光電気−光学変調器１３２および前記ロックイン増幅器１５５を使用しなくても測定を行える可能性を有する。
【００８１】
まとめると、前記光ファイバＢＯＣＤＡセンサ１００は、空間分解能を向上させるように、相関関係ピーク位置のビット幅が予め決定された第１大きさを有する位相コードパターンを使用して求められたブリルアンスペクトルで、相関関係ピーク位置のビット幅が前記第１大きさよりも小さい第２大きさを有する位相コードパターンを使用して求められたブリルアンスペクトルを差し引くように制御することができる。具体的な例示を挙げて説明すると、以下の通りである。
【００８２】
図１３は相関位置のビット幅差がある二つのブリルアンゲインを取得し、その信号差を得る実施形態を図示している。相関関係ピーク位置の開始位置が一致する大きいビット幅で作動して得られたブリルアンゲインスペクトルで、若干小さいビット幅で作動して得られたブリルアンゲインスペクトルを差引処理し、差に相当するビット幅の情報を得るようにするために、図１３のように相関関係ピーク位置を測定しようとする総ビット幅の半分だけ差があるようにし、大きいビット幅で差引処理して残った部分のビット幅だけ測定されるようにする。図１３の例示では、大きいビット幅で４個ビット部分のブリルアンゲインスペクトルを得て、相関関係ピーク位置を１／２ビットだけ差があるようにし、小さなビット幅で作動して得たブリルアンゲインスペクトルを得た後、差し引いた。
【００８３】
位相コードパターンのビット幅を増加させると、ブリルアンゲインが増加する。しかし、無限に増加させることはできない。その理由は、相関関係ピーク位置以外の部分でも位相の同じ時間が音波フォノン寿命よりも長くなると、ブリルアンゲインが発生するためである。したがって、位相コードパターンのビット幅を最大に設定し得る値が存在する。この値は、つまり、相関関係ピーク位置で発生するブリルアンゲイン値とそれ以外の位置で発生するブリルアンゲイン値の差を区別できなくなる条件でのビット幅になる。ところが、相関関係ピーク位置以外のブリルアンゲインは、つまり、感知光ファイバの全長から相関関係ピーク位置を除いたすべての部分である。
【００８４】
そうすると、感知光ファイバ長さＬの時、位相コードのビット幅をｌとすると、感知光ファイバ長さ全体にビット数Ｎ＝Ｌ／ｌになる。この中で相関関係ピーク位置は１個であるため、非相関位置のビット数全体はＮ−１である。位相コードビット幅を増加させると、相関位置でのブリルアンゲインが増加するとともに、非相関位置Ｎ−１個ビットでもブリルアンゲインが増加する。このようにビット幅を増加させて行くときに、相関位置１個ビットでのブリルアンゲインがＩ０とすると、非相関位置Ｎ−１個ビットでのブリルアンゲイン全体の合計がＩ０と一致すると、相関位置のゲインを区別できなくなる。したがって、位相コードビット幅をそれ以上増加させることができなくなる。すなわち、この際のビット幅が使用する感知光ファイバの最大ビット幅になる。仮に、非相関位置の一つのビットでのブリルアンゲインをＩｎとすると、Ｉｎ×（Ｎ−１）＝Ｉ０であるため、この際のビット幅が最大値になる。
【００８５】
一方、位相コードパターンのビット幅の最小値の決定は、以下の通り行われ得る。位相コードパターンを減少させる時に、位相コードパターンの位相角が１８０度まで完璧に制御されなければ、すべての位相コードパターンで若干のブリルアンゲインＩｃ０が発生する。したがって、位相コードパターンの相関関係ピーク位置で発生するブリルアンゲインＩ０が感知光ファイバの全長で発生するＩｃ０よりも大きくなければならない。すなわち、Ｉ０＝Ｉｃ０の条件が形成される時が、位相コードパターンのビット幅を最小にすることができる場合である。しかし、位相変調がよく行われて非相関位置でのブリルアンゲインが基本的な信号雑音よりも小さいと、この際の最小ビット幅は、相関位置でのブリルアンゲインが信号雑音と一致する時のビット幅になる。
【００８６】
本発明は、上記の実施形態に限定されず、適用範囲が様々であることは言うまでもなく、請求の範囲で請求する本発明の要旨を逸脱することなく当該本発明が属する分野において通常の知識を有する者であれば誰でも様々な変形実施が可能であることは言うまでもない。
【産業上の利用可能性】
【００８７】
本発明によると、従来の光周波数変調過程を排除し、時間差がある二つの位相コード制御を使用する過程を代わりに用いることで、従来に比べてはるかに単純化した制御設計および装置構成を実現することができる。これにより、上記で説明した従来の位相コード周波数変調方式の様々な問題を最初から除去することができる。また、これにより、制御設計がはるかに容易になり、装置構成がより簡素化し、空間分解能、感知性能、検出精度が向上する。
【符号の説明】
【００８８】
１００  光ファイバＢＯＣＤＡセンサ
１１０  光源
１１５  光ファイバカプラ
１２０  プローブ光の光ファイバライン
１２１  プローブ光位相変調器
１２２  プローブ光電気−光学変調器
１２３  プローブ光の光ファイバ増幅器
１２４  偏光スクランブラ
１２５  光ファイバアイソレータ
１３０  ポンピング光の光ファイバライン
１３１  ポンピング光位相変調器
１３２  ポンピング光電気−光学変調器
１３３  ポンピング光の光ファイバ増幅器
１３５  光ファイバサーキュレータ
１４０  感知光ファイバ
１５０  光受信器
１５５  ロックイン増幅器
１６０  制御部
１６１  パルスパターン発生器
１６２  ＲＦ信号合成器
１６３  チョッピングモジュール
【図１】
2021523358.tif 000009
【図２】
2021523358.tif 000010
【図３】
2021523358.tif 000011
【図４】
2021523358.tif 000012
【図５】
2021523358.tif 000013
【図６】
2021523358.tif 000014
【図７】
2021523358.tif 000015
【図８（Ａ）】
2021523358.tif 000016
【図８（Ｂ）】
2021523358.tif 000017
【図９】
2021523358.tif 000018
【図１０（Ａ）】
2021523358.tif 000019
【図１０（Ｂ）】
2021523358.tif 000020
【図１１】
2021523358.tif 000021
【図１２】
2021523358.tif 000022
【図１３】
2021523358.tif 000023
【国際調査報告】
2021523358.tif 000024
2021523358.tif 000025
2021523358.tif 000026
2021523358.tif 000027